(57)【要約】【課題】  移動通信端末との間で、物品に関連づけたユーザの個人的な情報のやり取りを好適に行える情報提供システム、情報提供方法、及び、このシステムに用いられる移動通信端末、サーバ装置と、を提供する。【解決手段】  移動通信端末１０において、定期券２から２次元バーコード４を含む画像データと、定期券２に関連づけるべきＵＲＬをユーザから取得すると共に、これらを情報提供システム５０のポータル側送受信手段２２に無線送信し、情報提供システム５０において、受信されたＵＲＬを受信された画像データに含まれるＩＤ番号と関連づけて格納手段４４に格納させている。  このため、ユーザは、移動通信端末１０等から、定期券２に関連付けられた個人的な情報の提供を受けることが可能となり、利便性の高いサービスを受けることが可能となる。【選択図】  図１
2005092769.tif 000002
【特許請求の範囲】
【請求項１】
情報を格納可能な格納手段と、
物品を識別するための物品識別情報を含む登録時物品情報と、前記物品に関連づけるべき関連情報とを有する登録要求を、移動通信端末と無線通信するサービスポータル装置から受信するサーバ側受信手段と、
前記受信された関連情報を、前記受信された登録時物品情報に含まれる物品識別情報に関連づけて前記格納手段に格納させる登録手段と、
を備えることを特徴とする、サーバ装置。
【請求項２】
前記サーバ側受信手段は、さらに、前記サービスポータル装置から、物品を識別するための物品識別情報を含む検索時物品情報を有する検索要求を受信し、
前記サーバ装置は、さらに、前記格納手段から、前記検索時物品情報に含まれる物品識別情報に関連づけられた関連情報を検索する検索手段と、
前記検索された関連情報を前記サービスポータル装置に対して送信するサーバ側送信手段と、
を備えることを特徴とする、請求項１に記載のサーバ装置。
【請求項３】
前記サーバ側受信手段は、前記登録要求としてさらに前記サービスポータルから送信される前記移動通信端末のユーザを識別するための登録時ユーザ識別情報を受信し、
前記登録手段は、さらに、前記受信した登録時ユーザ識別情報を、前記関連情報に関連づけて前記格納手段に格納させることを特徴とする、請求項１又は２に記載のサーバ装置。
【請求項４】
前記サーバ側受信手段は、前記登録時物品情報として前記物品識別情報が光学的に読み取り可能に表された標識を含む画像情報を取得し、
前記サーバ装置は、前記画像情報から前記物品識別情報を認識する物品識別情報認識手段をさらに備えることを特徴とする、請求項１〜３の何れか１項に記載のサーバ装置。
【請求項５】
移動通信端末のユーザが定めた関連情報が、物品を識別するための物品識別情報と関連づけて格納されると共に、前記ユーザを識別するための登録時ユーザ識別情報が前記関連情報と関連づけて格納された格納手段と、
移動通信端末と無線通信するサービスポータル装置から、物品を識別するための物品識別情報を含む検索時物品情報及び前記移動通信端末のユーザを識別するための検索時ユーザ識別情報を有する検索要求を受信するサーバ側受信手段と、
前記格納手段から、前記検索時物品情報に含まれる物品識別情報に関連づけられた関連情報及び前記関連情報に関連づけられた登録時ユーザ識別情報を検索する検索手段と、
前記検索された関連情報を前記サービスポータルに対して送信するサーバ側送信手段と、
を備えることを特徴とするサーバ装置。
【請求項６】
前記物品識別情報を前記物品識別情報とは異なる体系の第二物品識別情報に変換する識別情報変換手段を有することを特徴とする、請求項１〜５の何れか一項に記載のサーバ装置。
【請求項７】
情報提供システムと無線通信する移動通信端末であって、
物品を識別するための物品識別情報を含む登録時物品情報を取得する物品情報取得手段と、
前記物品に関連づけるべき関連情報を前記移動通信端末のユーザから取得する関連情報取得手段と、
前記登録時物品情報及び前記関連情報を有する登録要求を前記情報提供システムに無線送信する端末側送信手段と、
を有することを特徴とする、移動通信端末。
【請求項８】
前記ユーザからユーザを識別するための登録時ユーザ識別情報を取得するユーザ識別情報取得手段をさらに備え、前記端末側送信手段は、前記登録要求として、さらに、前記登録時ユーザ識別情報を前記情報提供システムに送信することを特徴とする、請求項７に記載の移動通信端末。
【請求項９】
情報提供システムと無線通信する移動通信端末であって、
物品を識別するための物品識別情報を含む検索時物品情報を取得する物品情報取得手段と、
前記移動通信端末のユーザから前記ユーザを識別するための検索時ユーザ識別情報を取得するユーザ識別情報取得手段と、
前記検索時物品情報及び前記検索時ユーザ識別情報を含む検索要求を前記情報提供システムに送信する端末側送信手段と、
を備えることを特徴とする移動通信端末。
【請求項１０】
物品を識別するための物品識別情報に関連付けて関連情報が格納されたサーバ装置と通信すると共に、移動通信端末と無線通信するサービスポータル装置であって、
前記移動通信端末から、物品を識別する物品識別情報を含む検索時物品情報及び前記移動通信端末のユーザを識別するための検索時ユーザ識別情報を有する検索要求を受信し、前記検索時物品情報をサーバ装置に送信すると共に、前記検索時物品情報に含まれる物品識別情報に関連づけられた関連情報と前記関連情報に関連づけられた登録時ユーザ識別情報とを前記サーバ装置から受信し、前記関連情報を前記移動通信端末に送信するポータル側送受信手段と、
前記検索要求に含まれた検索時ユーザ識別情報と、前記サーバ装置から受信した登録時ユーザ識別情報とを比較するユーザ識別情報比較手段と、
前記検索時ユーザ識別情報と前記登録時ユーザ識別情報とが一致した場合に、前記サーバ装置から受信した関連情報を前記移動通信端末へ送信するように前記ポータル側送受信手段を制御する制御手段と、
を有することを特徴とする、サービスポータル装置。
【請求項１１】
格納手段に格納された情報を移動通信端末へ提供する情報提供システムであって、
物品を識別するための物品識別情報を含む登録時物品情報及び前記物品に関連づけるべき関連情報を有する登録要求を前記移動通信端末から受信するシステム側受信手段と、
前記受信された関連情報を、前記受信された登録時物品情報に含まれる物品識別情報と関連づけて前記格納手段に格納させる登録手段と、
を備えることを特徴とする、情報提供システム。
【請求項１２】
情報を移動通信端末へ提供可能な情報提供システムであって、
前記移動通信端末のユーザが定めた関連情報が、物品を識別するための物品識別情報と関連づけて格納されると共に、前記ユーザを識別するための登録時ユーザ識別情報が前記関連情報と関連づけて格納された格納手段と、
前記移動通信端末から、物品を識別するための物品識別情報を含む検索時物品情報及び前記移動通信端末のユーザを識別するための検索時ユーザ識別情報を有する検索要求を受信するシステム側受信手段と、
前記格納手段から、前記検索時物品情報に含まれる物品識別情報に関連づけられた関連情報及び前記関連情報に関連づけられた登録時ユーザ識別情報を検索する検索手段と、
前記検索された関連情報を前記移動通信端末に対して送信するシステム側送信手段と、
前記検索要求に含まれた検索時ユーザ識別情報と、前記格納手段から検索された登録時ユーザ識別情報とを比較するユーザ識別情報比較手段と、
前記検索時ユーザ識別情報と前記登録時ユーザ識別情報とが一致する場合に、前記検索された関連情報を前記移動通信端末へ送信するように前記システム側送信手段を制御する制御手段と、
を備えることを特徴とする、情報提供システム。
【請求項１３】
格納手段に格納された情報を移動通信端末へ提供する情報提供方法であって、
物品を識別するための物品識別情報を含む登録時物品情報及び前記物品に関連づけるべき関連情報を有する登録要求を前記移動通信端末から受信するシステム側受信工程と、
前記受信した関連情報を、前記受信した登録時物品情報に含まれる物品識別情報と関連づけて前記格納手段に格納する情報登録工程と、
を備えることを特徴とする、情報提供方法。
【請求項１４】
移動通信端末のユーザが定めた関連情報が、物品を識別するための物品識別情報と関連づけて格納されると共に、前記ユーザを識別するための登録時ユーザ識別情報が、前記関連情報と関連づけて格納された格納手段から、移動通信端末へ前記関連情報を提供する情報提供方法であって、
前記移動通信端末から、物品を識別する物品識別情報を含む検索時物品情報及び前記移動通信端末のユーザを識別するための検索時ユーザ識別情報を有する検索要求を受信するシステム側受信工程と、
前記格納手段から、前記検索時物品情報に含まれる物品識別情報に関連づけられた関連情報及び前記関連情報に関連づけられた登録時ユーザ識別情報を検索する検索工程と、
前記検索要求に含まれた検索時ユーザ識別情報と、前記格納手段から検索された登録時ユーザ識別情報とを比較する比較工程と、
前記検索時ユーザ識別情報と前記登録時ユーザ識別情報とが一致する場合に、前記検索された関連情報を前記移動通信端末へ送信する送信制御工程と、
を含むことを特徴とする、情報提供方法。
【発明の詳細な説明】
【技術分野】
【０００１】
本発明は、移動通信端末に情報を提供する情報提供システム、情報提供方法、及び、これに用いられる移動通信端末、サーバ装置、サービスポータル装置に関する。
【背景技術】
【０００２】
従来より、携帯電話等の移動通信端末のユーザに、種々の情報を提供する情報提供システムが数多く提案されている。例えば、物品に関連する情報があらかじめ当該物品の写真画像に関連付けられてデータベースに格納され、移動通信端末から物品の写真画像が送信されると、その写真画像に対応づけられた情報をデータベースから検索して移動通信端末に提供するシステムが知られている。（例えば、特許文献１参照）。
【特許文献１】特開２００１−２８２８２５号公報
【発明の開示】
【発明が解決しようとする課題】
【０００３】
最近では、移動通信端末のユーザが、個人的な情報をユーザの有する物品に対応づけて情報提供システムのデータベースに登録したり、物品に対応づけられたユーザ毎の個人的な情報を当該ユーザが移動通信端末を用いて情報提供システムから取得したいという要望がある。本発明は、上記課題に鑑みてなされたものであり、移動通信端末との間で、物品に関連づけたユーザの個人的な情報のやり取りを好適に行える情報提供システム、情報提供方法、及び、このシステムに用いられる移動通信端末、サーバ装置と、を提供することを目的とする。
【課題を解決するための手段】
【０００４】
本発明に係るサーバ装置は、情報を格納可能な格納手段と、物品を識別するための物品識別情報を含む登録時物品情報と上記物品に関連づけるべき関連情報とを有する登録要求を、移動通信端末と無線通信するサービスポータル装置から受信するサーバ側受信手段と、上記受信した関連情報を、上記受信した登録時物品情報に含まれる物品識別情報に関連づけて上記格納手段に格納させる登録手段と、を備えることを特徴とする。
【０００５】
本発明に係る移動通信端末は、情報提供システムと無線通信する移動通信端末であって、物品を識別するための物品識別情報を含む登録時物品情報を取得する物品情報取得手段と、上記物品に関連づけるべき関連情報を上記移動通信端末のユーザから取得する関連情報取得手段と、上記登録時物品情報及び上記関連情報を有する登録要求を上記情報提供システムに無線送信する端末側送信手段と、を有することを特徴とする。
【０００６】
本発明に係る情報提供システムは、格納手段に格納された情報を移動通信端末へ提供する情報提供システムであって、物品を識別するための物品識別情報を含む登録時物品情報及び上記物品に関連づけるべき関連情報を有する登録要求を上記移動通信端末から受信するシステム側受信手段と、上記受信された関連情報を、上記受信された登録時物品情報に含まれる物品識別情報と関連づけて上記格納手段に格納させる登録手段と、を備えることを特徴とする。
【０００７】
本発明に係る情報提供方法は、格納手段に格納された情報を移動通信端末へ提供する情報提供方法であって、物品を識別するための物品識別情報を含む登録時物品情報及び上記物品に関連づけるべき関連情報を有する登録要求を上記移動通信端末から受信するシステム側受信工程と、上記受信した関連情報を、上記受信した登録時物品情報に含まれる物品識別情報と関連づけて上記格納手段に格納する情報登録工程と、を備えることを特徴とする。
【０００８】
これらによれば、ユーザは、移動通信端末を用いて、物品に関連づけて私的な情報を格納手段に格納することができる。このため、ユーザは、移動通信端末等から、物品に関連付けられた私的な情報の提供を受けることが可能となり、利便性の高いサービスを受けることが可能となる。
【０００９】
ここで、上記サーバ装置において、サーバ側受信手段はさらに上記サービスポータル装置から、物品を識別するための物品識別情報を含む検索時物品情報を有する検索要求を受信し、上記サーバ装置は、さらに、上記格納手段から、上記検索時物品情報に含まれる物品識別情報に関連づけられた関連情報を検索する検索手段と、上記検索された関連情報を上記サービスポータル装置に対して送信するサーバ側送信手段と、を備えることが好ましい。
【００１０】
また、上記情報提供システムにおいて、上記システム側受信手段はさらに上記移動通信端末から物品を識別する物品識別情報を含む検索時物品情報を有する検索要求を受信し、上記情報提供システムは、さらに、上記格納手段から、上記検索時物品情報に含まれる物品識別情報に関連づけられた関連情報を検索する検索手段と、上記検索された関連情報を上記移動通信端末に送信するシステム側送信手段と、を備えることが好ましい。
【００１１】
これらによれば、ユーザは、物品識別情報を含む検索時物品情報を移動通信端末から情報提供システムに送信することにより、物品に関連づけておいた関連情報を好適に取得できる。
【００１２】
また、上記サーバ装置において、上記サーバ側受信手段は、上記登録要求としてさらに上記サービスポータル装置から送信される上記移動通信端末のユーザを識別するための登録時ユーザ識別情報を受信し、上記登録手段は、さらに、上記受信した登録時ユーザ識別情報を、上記関連情報に関連づけて上記格納手段に格納させることが好ましい。
【００１３】
また、上記移動通信端末において、上記ユーザからユーザを識別するための登録時ユーザ識別情報を取得するユーザ識別情報取得手段をさらに備え、上記端末側送信手段は、前記登録要求として、さらに、前記登録時ユーザ識別情報を上記情報提供システムに送信することが好ましい
【００１４】
また、上記情報提供システムにおいて、システム側受信手段は、上記登録要求としてさらに上記移動通信端末から送信される上記移動通信端末のユーザを識別するための登録時ユーザ識別情報を受信し、上記登録手段は、さらに、上記受信した登録時ユーザ識別情報を、上記関連情報に関連づけて上記格納手段に格納させることが好ましい。
【００１５】
これらによれば、さらに登録時ユーザ識別情報が関連情報と関連づけられて格納手段に格納されることとなる。このため、移動通信端末からの検索要求等に応じて物品に関連づけられた関連情報を移動通信端末に提供する際、この登録時ユーザ識別情報を用いることにより検索要求したユーザが関連づけられた関連情報を提供した本人であるか否かを確認することができる。このため、登録された情報が第３者に提供されることを防止でき、セキュリティを高くできる。
【００１６】
また、上記情報提供システムにおいて、上記システム側受信手段は、上記移動通信端末から物品を識別するための物品識別情報を含む検索時物品情報及び上記移動通信端末のユーザを識別する検索時ユーザ識別情報を含む検索要求を受信し、上記情報提供システムは、さらに、上記格納手段から、上記検索時物品情報に含まれる物品識別情報に関連づけられた関連情報及び上記関連情報に関連づけられた登録時ユーザ識別情報を検索する検索手段と、上記検索された関連情報を上記移動通信端末に対して送信するシステム側送信手段と、上記検索要求に含まれた検索時ユーザ識別情報と、上記格納手段から検索された登録時ユーザ識別情報とを比較するユーザ識別情報比較手段と、上記検索時ユーザ識別情報と上記登録時ユーザ識別情報とが一致した場合に、上記検索された上記関連情報を上記移動通信端末へ送信するように上記システム側送信手段を制御する制御手段と、を有してもよい。
【００１７】
これによれば、ユーザは、物品に関連づけておいた関連情報を移動通信端末から高いセキュリティで好適に取得できる。
【００１８】
また、上記サーバ装置において、上記サーバ側受信手段は、上記登録時物品情報として上記物品識別情報が光学的に読み取り可能に表された標識を含む画像情報を取得し、上記サーバ装置は、上記画像情報から上記物品識別情報を認識する物品識別情報認識手段をさらに備えることが好ましい。  
【００１９】
また、上記情報提供システムにおいては、上記システム側受信手段は、上記登録時物品情報として上記物品識別情報が光学的に読み取り可能に表された標識を含む画像情報を取得し、上記情報提供システムは、上記画像情報から上記物品識別情報を認識する物品識別情報認識手段をさらに備えることが好ましい。
【００２０】
これらによれば、物品にあらかじめバーコード等の光学読み取り可能な標識が付されている場合に、物品識別情報を好適に取得できる。
【００２１】
また、本実施形態に係る他のサーバ装置は、移動通信端末のユーザが定めた関連情報が、物品を識別するための物品識別情報と関連づけて格納されると共に上記ユーザを識別するための登録時ユーザ識別情報が上記関連情報と関連づけて格納された格納手段と、移動通信端末と無線通信するサービスポータル装置から、物品を識別するための物品識別情報を含む検索時物品情報及び上記移動通信端末のユーザを識別するための検索時ユーザ識別情報を有する検索要求を受信するサーバ側受信手段と、上記格納手段から、上記検索時物品情報に含まれる物品識別情報に関連づけられた関連情報及び上記関連情報に関連づけられた登録時ユーザ識別情報を検索する検索手段と、上記検索された関連情報を上記サービスポータルに対して送信するサーバ側送信手段と、を備えることを特徴とする。
【００２２】
また、本実施形態に係る他の移動通信端末は、情報提供システムと無線通信する移動通信端末であって、物品を識別するための物品識別情報を含む検索時時物品情報を取得する物品情報取得手段と、上記移動通信端末のユーザから上記ユーザを識別するための検索時ユーザ識別情報を取得するユーザ識別情報取得手段と、上記検索時物品情報及び上記検索時ユーザ識別情報を含む検索要求を上記情報提供システムに送信する端末側送信手段と、を備えることを特徴とする。
【００２３】
本発明に係るサービスポータル装置は、物品を識別するための物品識別情報に関連付けて関連情報が格納されたサーバ装置と通信すると共に、移動通信端末と無線通信するサービスポータル装置であって、上記移動通信端末から、物品を識別するための物品識別情報を含む検索時物品情報及び上記移動通信端末のユーザを識別するための検索時ユーザ識別情報を有する検索要求を受信し、上記検索時物品情報をサーバ装置に送信すると共に、上記検索時物品情報に含まれる物品識別情報に関連づけられた関連情報と上記関連情報に関連づけられた登録時ユーザ識別情報とを上記サーバ装置から受信し、上記関連情報を上記移動通信端末に送信するポータル側送受信手段と、上記検索要求に含まれた検索時ユーザ識別情報と上記サーバ装置から受信した登録時ユーザ識別情報とを比較するユーザ識別情報比較手段と、上記検索時ユーザ識別情報と上記登録時ユーザ識別情報とが一致した場合に、上記サーバ装置から受信した関連情報を上記移動通信端末へ送信するように上記ポータル側送受信手段を制御する制御手段と、を有することを特徴とする。
【００２４】
本実施形態に係る他の情報提供システムは、情報を移動通信端末へ提供する情報提供システムであって、上記移動通信端末のユーザが定めた関連情報が、物品を識別するための物品識別情報と関連づけて格納されると共に、上記ユーザを識別するための登録時ユーザ識別情報が上記関連情報と関連づけて格納された格納手段と、上記移動通信端末から物品を識別するための物品識別情報を含む検索時物品情報及び上記移動通信端末のユーザを識別するための検索時ユーザ識別情報を有する検索要求を受信するシステム側受信手段と、上記格納手段から、上記検索時物品情報に含まれる物品識別情報に関連づけられた関連情報及び上記関連情報に関連づけられた登録時ユーザ識別情報を検索する検索手段と、上記検索された関連情報を上記移動通信端末に対して送信するシステム側送信手段と、上記検索要求に含まれた検索時ユーザ識別情報と、上記格納手段から検索された登録時ユーザ識別情報とを比較するユーザ識別情報比較手段と、上記検索時ユーザ識別情報と上記登録時ユーザ識別情報とが一致する場合に、上記検索された関連情報を上記移動通信端末へ送信するように上記システム側送信手段を制御する制御手段と、を備えることを特徴とする。
【００２５】
本発明に係る他の情報提供方法は、移動通信端末のユーザが定めた関連情報が物品を識別するための物品識別情報と関連づけて格納されると共に、上記ユーザを識別するための登録時ユーザ識別情報が上記関連情報と関連づけて格納された格納手段から、移動通信端末へ上記関連情報を提供する情報提供方法であって、上記移動通信端末から、物品を識別するための物品識別情報を含む検索時物品情報及び上記移動通信端末のユーザを識別するための検索時ユーザ識別情報を有する検索要求を受信するシステム側受信工程と、上記格納手段から、上記検索時物品情報に含まれる物品識別情報に関連づけられた関連情報及び上記関連情報に関連づけられた登録時ユーザ識別情報を検索する検索工程と、上記検索要求に含まれた検索時ユーザ識別情報と、上記格納手段から検索された登録時ユーザ識別情報とを比較する比較工程と、上記検索時ユーザ識別情報と上記登録時ユーザ識別情報とが一致する場合に、上記検索された関連情報を上記移動通信端末へ送信する送信制御工程と、を含むことを特徴とする。
【００２６】
これらによれば、ユーザは、移動通信端末を用いて、物品に関連づけてあらかじめ格納された個人的な情報の提供を情報提供システムから受けることが可能となり、利便性の高いサービスを受けることが可能となる。さらに、登録時ユーザ識別情報が関連情報と関連づけられて格納手段に格納されるので、移動通信端末からの検索要求等に応じて物品に関連づけられた関連情報を移動通信端末に提供する際、この登録時ユーザ識別情報を用いることにより検索要求したユーザが関連づけられた関連情報を提供した本人であるか否かが確認される。このため、登録された情報が第３者に提供されることを防止でき、セキュリティを高くできる。
【００２７】
また、上記の情報提供システムやサーバ装置において、上記サーバ側受信手段や上記システム側受信手段は、上記検索時物品情報として上記物品識別情報が光学的に読み取り可能に表された標識を含む画像情報を取得し、上記サーバ装置や上記情報提供システムは、上記画像情報から上記物品識別情報を認識する物品識別情報認識手段をさらに備えることが好ましい。
【００２８】
これによれば、物品にあらかじめバーコード等の光学読み取り可能な標識が付されている場合に、検索時物品識別情報を好適に取得できる。
【００２９】
また、上記の何れかの情報提供システムや何れかのサーバ装置において、物品識別情報を上記物品識別情報とは異なる体系の第二物品識別情報に変換する識別情報変換手段を有することが好ましい。
【００３０】
これによれば、狭い分野でのみ使われる物品識別情報を、統一的な広い分野で用いられる体系の商品識別情報に変換することができ、幅広い物品に対して情報の関連づけを行える。
【発明の効果】
【００３１】
以上説明したように、本発明によれば、移動通信端末との間で、物品に関連づけたユーザの個人的な情報のやり取りを好適に行える情報提供システム、情報提供方法、及び、このシステムに用いられる移動通信端末、サーバ装置と、が提供される。
【発明を実施するための最良の形態】
【００３２】
以下、添付図面を参照しながら、本発明に係る移動通信端末及び情報提供システムの好適な実施形態について詳細に説明する。なお、図面の説明において、同一または相当要素には同一の符号を付し、重複する説明は省略する。
【００３３】
図１は、本発明の実施形態に係る移動通信端末及びこれと通信を行う情報提供システムの概略構成図である。
【００３４】
本実施形態の情報提供システム５０は、ユーザの移動通信端末１０との間で情報のやり取りを行うものであって、移動通信端末１０からの登録指示により、ユーザが定めたＵＲＬ等の関連情報をユーザの希望する物品のＩＤ番号（物品識別情報）に関連づけて情報提供システム５０のデータベースに格納する一方、移動通信端末１０からの検索指示により、ユーザの希望する物品に対応づけられたＵＲＬ等の関連情報を情報提供システム５０で検索して移動通信端末１０に送信するものである。物品の例としては、定期券、靴、等が挙げられる。
【００３５】
本実施形態において、定期券２等の物品には、当該物品を認識するためのＩＤ番号（物品識別情報）があらかじめ定められると共に、当該物品にはそのＩＤ番号をあらわす２次元バーコード（標識）４が表示されている。
【００３６】
移動通信端末１０は、定期券２等の物品を撮影して当該物品の２次元バーコード４を含む画像データ（登録時物品情報、検索時物品情報）を取得するカメラ手段（物品情報取得手段）１４と、ユーザから種々の情報を入力する情報入力手段（関連情報取得手段、ユーザ識別情報取得手段）１６と、情報提供システム５０のサービスポータル装置２０との間で情報の送受信を行う端末側送受信手段（端末側送信手段）１２と、情報提供システムのサービスポータル装置２０から受信した情報を移動通信端末１０のユーザに提示する提示手段１８と、を備えた携帯電話である。
【００３７】
カメラ手段１４は、デジタルカメラ等であり、ユーザの指示に基づいてユーザが希望する定期券２等の物品に付された２次元バーコード４を撮影して、２次元バーコード４を含む画像データを取得する。
【００３８】
情報入力手段１６は、例えば、キーボード等であり、登録要求を行う際には、物品に関連付けたいＵＲＬ（関連情報）やこのＵＲＬに付したいパスワード（登録時ユーザ識別情報）を入力し、また、検索要求を行う際には、メニューから読み出したいＵＲＬの選択入力をしたり、ＵＲＬの検索に必要なパスワード（検索時ユーザ識別情報）等を入力する。また、提示手段１８は、液晶ディスプレイ等である。
【００３９】
このようなパスワードとしては、４桁から１０桁程度の数字や文字等を利用することが好ましい。この桁数をある程度大きくすることにより、第３社がでたらめに暗証番号を入力しても偶然一致してしまう確率を小さくすることができる。すなわち、桁数をある程度大きくし、利用可能な数の集合空間に対して、実際に利用している数の集合を十分小さくすることによって、第３者による不正なアクセスを事実上防止することができると考えられる。
【００４０】
端末側送受信手段１２は、ユーザからの指示に基づいて、カメラ手段１４で取得された定期券２の画像データと情報入力手段１６で取得されたパスワードとを含む検索要求を後述する情報提供システム５０のサービスポータル装置２０に送信する。また、端末側送受信手段１２は、カメラ手段１４で取得された定期券２の画像データと、情報入力手段１６で入力された定期券に関連付けるべきＵＲＬと、情報入力手段１６で入力された当該ＵＲＬに付されるべきパスワードと、を含む登録要求を、サービスポータル装置２０に送信する。また、端末側送受信手段１２は、サービスポータル装置２０から定期券２に関連づけられたＵＲＬ等を受信する。さらに、この端末側送受信手段１２は、インターネットと接続可能でＷＥＢページの閲覧が可能とされている。
【００４１】
ここで、定期券２に関連づける情報としては、例えば、購入場所の案内や、出発駅や終着駅の時刻表データや、定期券２の発行元のＷＥＢサイトのアドレスＵＲＬを挙げることができる。
【００４２】
一方、情報提供システム５０は、移動通信端末１０と無線通信可能なサービスポータル装置２０と、サービスポータル装置２０と通信可能なサーバ装置３０と、を有している。
【００４３】
サービスポータル装置２０は、基地局装置であり、移動通信端末１０と無線通信すると共にサーバ装置３０と通信するためのポータル側送受信手段（システム側受信手段、システム側送信手段）２２と、ポータル側送受信手段２２を制御する制御手段２４と、パスワードを比較するパスワード比較手段（ユーザ識別情報比較手段）２６と、メニューを生成するメニュー生成手段２８と、を備えている。
【００４４】
ポータル側送受信手段２２は、移動通信端末１０から検索要求や登録要求等を受信し、これらの検索要求や登録要求にサービスポータル装置２０のＩＤを付与してサーバ装置３０に送信する。ここで、検索要求の送信時においては、サーバ装置にパスワードを送信する必要はない。また、このポータル側送受信手段２２は、サーバ装置３０から、検索要求に対する検索結果である関連情報としてのＵＲＬやこのＵＲＬに関連づけられたパスワードを受信する。
【００４５】
制御手段２４は、移動通信端末１０から受信した検索要求の内のパスワードと、検索要求に対応してサーバ装置３０から受信した検索結果であるパスワードとを、パスワード比較手段２６に送って比較させ、比較結果が一致した場合にはサーバ装置３０から受信したＵＲＬを移動通信端末１０に送信するようにポータル側送受信手段２２を制御する。
【００４６】
また、メニュー生成手段２８は、サーバ装置３０から、検索要求に対応するＵＲＬが複数送信された場合には、一覧メニューを作成し、制御手段２４は、このメニューをポータル側送受信手段２２によって移動通信端末に送信する。
【００４７】
例えば、検索要求に応じて、サーバ装置３０から、定期券２に関連付けられたＵＲＬであってパスワードの付されたものと、パスワードの付されていないＵＲＬとを受信した場合は、メニュー生成手段２８は、その旨を示すメニューを作成し、制御手段２４は、このメニュー一覧を移動通信端末１０に送信し、移動通信端末１０からどのＵＲＬを知りたいかの選択情報を取得し、パスワードが付されたＵＲＬが選択された場合は、パスワードの比較を行った上で、パスワードが一致した場合にのみサーバ装置３０から取得されたＵＲＬを移動通信端末１０へ送信する。一方、パスワードが付されていないＵＲＬが選択された場合には、そのＵＲＬを移動通信端末１０へ送信する。
【００４８】
なお、検索要求に含まれるパスワードは、検索要求に含まれる画像データよりも後に移動通信端末からサービスポータルに送信するようにしてもよい。
【００４９】
また、制御手段２４は、サーバ装置３０から取得されたＵＲＬに対して、加工や選択等を加えた上で、移動通信端末１０に対して送信することができる。
【００５０】
そして、このようなサービスポータル装置２０は複数配置することができ、ユーザは、移動通信端末１０からサービスポータル装置２０を選択することにより、希望に添う形でＵＲＬを取得することができる。
【００５１】
サーバ装置３０は、サービスポータル装置２０と情報通信するサーバ側送受信手段（サーバ側受信手段、サーバ側送信手段）３２と、サーバ側送受信手段３２と接続され種々の情報処理の制御を行うサーバ側制御手段３４と、サービスポータル装置２０から受信した画像データを画像処理して当該画像データ中に含まれる２次元バーコードが示すＩＤ番号を認識するＩＤ認識手段（物品識別情報認識手段）３６と、ＩＤ認識手段３６により認識されたＩＤ番号をグローバルＩＤに変換するＧＩＤ変換手段（識別情報変換手段）３８と、種々の情報を格納可能なデータベースとしての格納手段４４と、格納手段４４に情報を登録する登録手段４２と、格納手段４４から情報を検索する検索手段４０と、を備えている。
【００５２】
サーバ側制御手段３４は、サーバ側送受信手段３２が、定期券２に付された２次元バーコード４を含む画像データ、当該物品に関連付けたいＵＲＬ及びパスワードを含む登録要求を受信した場合には、画像データをＩＤ認識手段３６に送信してＩＤ番号を認識させると共に、このＩＤ番号をＧＩＤ変換手段３８によりグローバルＩＤに変換させ、このようにして得られたグローバルＩＤと、関連付けたいＵＲＬ及びパスワードを登録手段４２に送る。
【００５３】
また、サーバ側制御手段３４は、サーバ側送受信手段３２が定期券２に付された２次元バーコード４の画像データを含む検索要求を受信した場合には、画像データをＩＤ認識手段３６に送信してＩＤ番号を認識させると共に、このＩＤ番号をＧＩＤ変換手段３８によりグローバルＩＤに変換させ、このようにして得られたグローバルＩＤを検索手段４０に送る。そして、サーバ側制御手段３４は、検索手段４０から送信された当該グローバルＩＤに関連付けられたＵＲＬ及びパスワードをサーバ側送受信手段３２によってサービスポータル装置２０に送信させる。
【００５４】
なお、サーバ側制御手段３４は、サーバ側送受信手段３２が、２次元バーコードを含む画像データではなく、ＩＤ番号そのものを含む検索要求あるいは登録要求を受信した場合には、ＩＤ認識手段３６を通さずにこのＩＤ番号をＧＩＤ変換手段３８に送ってグローバルＩＤを得、このグローバルＩＤを登録手段４２や検索手段４０に送る。また、サーバ側制御手段３４は、サーバ側送受信手段３２が、２次元バーコードを含む画像データではなく、グローバルＩＤそのものを含む検索要求や登録要求を受信した場合には、このグローバルＩＤを、登録手段４２や検索手段４０に送る。
【００５５】
ＩＤ認識手段３６は、例えば、２次元画像のパターン認識技術を用いて、画像に含まれる２次元バーコードのＩＤ番号の認識を行い、ユーザが撮影した定期券２のＩＤ番号を取得する。
【００５６】
ＧＩＤ変換手段３８は、書籍に関するＩＳＢＮ等や、食品等に付与されているＪＡＮコード等、世の中で種々の分野で独自の体系で用いられている各種の商品等の各種ＩＤ番号を、統一的に扱うことのできるグローバルＩＤに変換する手段である。このようなグローバルＩＤを用いることにより、書籍から、野菜を含む食品、鞄、店舗、定期券、テレホンカード（登録商標）、ホテル、飛行機等に至る各種物品を統一的に取り扱うことができる。
【００５７】
格納手段４４は、ハードディスク等の情報記憶装置であり、グローバルＩＤを複数格納可能なＧＩＤ格納領域４４ａと、グローバルＩＤ毎に当該グローバルＩＤに係る定期券２に関連付けるべきＵＲＬを格納する関連情報格納領域４４ｂと、グローバルＩＤに関連付けられた各ＵＲＬ毎にパスワード（登録時ユーザ識別情報）を格納するパスワード格納領域４４ｃと、を備えている。ここで、格納手段４４は、一つのグローバルＩＤに対して、複数のＵＲＬを格納することが可能な構成とされている。また、複数のＵＲＬが登録される際には、さらに各々のＵＲＬ毎にパスワードを格納することができる。
【００５８】
登録手段４２は、サーバ側制御手段３４から、グローバルＩＤと、定期券２に関連付けたいＵＲＬと、パスワードと、を取得し、定期券２に関連付けたいＵＲＬ及びパスワードを、グローバルＩＤに対応づけて格納手段４４に格納させる。
【００５９】
検索手段４０は、サーバ側制御手段３４からグローバルＩＤを取得し、格納手段４４からこのグローバルＩＤをキーとして、このグローバルＩＤに関連づけられたＵＲＬとＵＲＬに関連づけられたパスワードとを検索し、これらをサーバ側制御手段３４に送信する。
【００６０】
つぎに、本実施形態に係る情報提供システム５０及び移動通信端末１０の作用について説明する。
【００６１】
ここでは、まず、図２を参照に、ユーザが移動通信端末１０を用いて、定期券２にＵＲＬを関連づける場合の手順を説明する。
【００６２】
まず、あらかじめユーザは、所定のＩＤ番号を表現する２次元バーコード４が付与された定期券２を有しており、ユーザは、この定期券２に対して時刻表が掲載されたＷＥＢページのアドレスＵＲＬを関連づけたいとする。
【００６３】
まず、ステップＳ１０１では、ユーザからの指示に基づいて、移動通信端末１０が定期券２の２次元バーコード４を撮影し、２次元バーコードを含む画像データを得る。つぎに、ステップＳ１０３では、移動通信端末１０が、ユーザから、定期券２に関連づけたい情報としての時刻表のアドレスＵＲＬと、パスワードとを取得する。そして、ステップＳ１０５では、移動通信端末１０が、画像データと、ＵＲＬと、パスワードとを含む登録要求をサービスポータル装置２０へ送信する。
【００６４】
サービスポータル装置２０は、ステップＳ１０７において移動通信端末１０からの登録要求を受信し、ステップＳ１０９において、これをサーバ装置３０に送信する。
【００６５】
つぎに、サーバ装置３０は、ステップＳ１１１において、サービスポータル装置２０から登録要求を受信する。そして、ステップＳ１１３では、ＩＤ認識手段３６によって登録要求に含まれる画像データから定期券２のＩＤ番号を認識する。
【００６６】
つぎに、ステップＳ１１５では、取得したＩＤ番号をグローバルＩＤに変換する。そして、ステップ１１７では、登録要求の内のＵＲＬとパスワードとをグローバルＩＤに関連づけて格納手段４４に格納する。これで、登録工程が終了する。
【００６７】
なお、格納手段４４において、ユーザの定期券２のグローバルＩＤに対して、このようにしてユーザによって登録された時刻表のＵＲＬに加えて、あらかじめ定期券２の発売元の鉄道会社のホームページのＵＲＬが鉄道会社によって登録されており、この鉄道会社のＵＲＬにはパスワードが関連づけられていないものとする。
【００６８】
つぎに、ユーザが、定期券２に対して登録されたＵＲＬを移動通信端末１０から検索する場合の手順について説明する。
【００６９】
まず、移動通信端末１０は、ステップＳ２０１において、ユーザの指示に基づいて、定期券２の２次元バーコード４を撮影し、２次元バーコード４を含む画像データを得る。そして、ステップＳ２０３において、画像データを含む検索要求をサービスポータル装置２０へ送信する。
【００７０】
サービスポータル装置２０は、ステップＳ２０５において移動通信端末１０から検索要求を受信し、ステップ２０７においてこれをサーバ装置３０に送信する。
【００７１】
サーバ装置３０は、ステップＳ２０９において、サービスポータル装置２０から検索要求を受信する。そして、ステップＳ２１１では、検索要求に含まれる画像データから定期券２のＩＤ番号を認識する。つぎに、ステップＳ２１３では、取得したＩＤ番号をグローバルＩＤに変換する。
【００７２】
そして、ステップＳ２１５では、格納手段４４から、グローバルＩＤに関連づけて格納されたＵＲＬと関連するパスワードとを検索する。ここでは、当該ユーザによって登録された時刻表のＵＲＬとこれに対応するパスワード、及び、パスワード無しで登録されていた鉄道会社のホームページのＵＲＬが取得される。そして、ステップＳ２１７で、これらの情報をサービスポータル装置２０に送信する。
【００７３】
サービスポータル装置２０は、ステップＳ２１９において、サーバ装置３０からＵＲＬ情報とパスワードとを受信する。そして、ステップＳ２２１において、パスワードが付された時刻表のＵＲＬと、パスワードが付されていない鉄道会社のＵＲＬと、があることを示す一覧メニューを作成し、これを移動通信端末１０に送信する。
【００７４】
移動通信端末１０は、ステップＳ２２３において、サービスポータル装置２０からこのメニューを受信し、ステップ２２５においてこれをユーザに提示する。そして、移動通信端末１０は、ステップＳ２２７で、ユーザからパスワードが付されたＵＲＬか、パスワードが付されていないＵＲＬか、を選択する旨の選択入力を取得する。
【００７５】
そして、ステップ２２９において、何れのＵＲＬが選択されたかを判断し、パスワードが付されたＵＲＬが選択された場合は、ステップ２３１に進んで、ユーザから当該ＵＲＬの閲覧に必要なパスワードを取得する。そして、移動通信端末１０は、ステップＳ２３３でパスワードのあるＵＲＬが選択された旨と、確認用パスワードをサービスポータル装置２０に送信する。
【００７６】
サービスポータル装置２０では、ステップＳ２３５において、パスワードが付されたＵＲＬが選択された旨と、パスワードとを、移動通信端末１０から受信し、ステップＳ２３７において、移動通信端末１０から送信されたパスワードと、サーバ装置から送信されたパスワードとを比較し、一致する場合はステップＳ２３９において、このパスワードが付された時刻表のＵＲＬを移動通信端末１０に送信する一方、一致しない場合には時刻表のＵＲＬを移動通信端末１０に送信することなく処理を終了する。
【００７７】
そして、時刻表のＵＲＬが移動通信端末１０に送信された場合には、ステップＳ２４１において、移動通信端末１０は、この時刻表のＵＲＬを受信し、ステップＳ２３９において、ユーザに提示すると共に、ステップＳ２４５において、ユーザの指示に応じて、当該ＵＲＬへのインターネットアクセスを開始する。これによって、ユーザは時刻表の閲覧が可能となる。
【００７８】
これに対して、ステップＳ２２９でパスワードが付されていないＵＲＬが選択された場合には、移動通信端末は、ステップＳ２６１においてこの旨をサービスポータル装置２０に送信し、サービスポータル装置２０は、ステップ２６３においてこれを受信した後、ステップＳ２６５でそのＵＲＬを移動通信端末１０に送信し、ステップ２６７で、移動通信端末１０はこれを受信し、ステップＳ２６９でＵＲＬの閲覧を行う。
【００７９】
このように、本実施形態によれば、移動通信端末１０において、定期券２の２次元バーコードを含む画像データと、定期券２に関連づけるべきＵＲＬをユーザから取得すると共に、これらを情報提供システム５０に無線送信し、情報提供システム５０において、受信されたＵＲＬを受信された画像データに含まれるＩＤ番号と関連づけて格納手段４４に格納させている。
【００８０】
このため、ユーザは、移動通信端末１０を用いて、定期券２に関連づけて個人的な情報を情報提供システム５０の格納手段４４に格納することができる。このため、ユーザは、移動通信端末１０等から、定期券２に関連付けられた個人的な情報の提供を受けることが可能となり、利便性の高いサービスを受けることが可能となる。
【００８１】
また、情報提供システム５０において、移動通信端末１０から定期券２の２次元バーコード４を含む画像データを有する検索要求を受信し、格納手段４４から、画像データに含まれる２次元バーコード情報に関連づけられたＵＲＬを検索し、検索されたＵＲＬを移動通信端末１０に送信する。
【００８２】
このため、ユーザは、物品識別情報を含む検索時物品情報を移動通信端末に送信することにより、物品に関連づけておいた関連情報を好適に取得できる。
【００８３】
また、情報提供システム５０において、登録要求としてさらに移動通信端末１０から送信される登録時ユーザ識別情報を受信し、受信した登録時ユーザ識別情報を、ＵＲＬに関連づけて格納手段４４に格納させる。
【００８４】
このため、登録時ユーザ識別情報がＵＲＬと関連づけられて格納手段に格納されることとなり、情報提供システム５０が移動通信端末１０からの検索要求等に応じて定期券２に関連づけられたＵＲＬを移動通信端末１０に提供する際、この登録時ユーザ識別情報を用いることにより検索要求したユーザが関連づけられたＵＲＬを提供した本人であるか否かを確認することができる。このため、登録されたＵＲＬが第３者に提供されることを防止でき、個人情報のセキュリティを高くできる。
【００８５】
特に、情報提供システム５０において、検索要求に含まれた検索時ユーザ識別情報と、格納手段から検索された登録時ユーザ識別情報とを比較し、検索時ユーザ識別情報と登録時ユーザ識別情報とが一致した場合に、検索されたＵＲＬを移動通信端末１０へ送信するので、セキュリティを容易に向上できる。
【００８６】
また、移動通信端末１０において、ＩＤ番号を含む情報としてＩＤ番号が光学的に読み取り可能に表された２次元バーコードを含む画像を取得し、情報提供システムにおいて、この画像からＩＤ番号を認識している。
【００８７】
このため、物品にあらかじめ２次元バーコードを付しておけば、移動通信端末側でＩＤ番号を認識することなく、情報提供システム側で定期券２のＩＤ番号を好適に取得できる。
【００８８】
また、定期券２のＩＤ番号をこのＩＤ番号とは異なる体系のグローバルＩＤに変換するので、狭い分野でのみ使われる定期券等のＩＤ番号を、統一的な広い分野で用いられる体系の商品識別情報に変換することができ、幅広い物品に対して情報の関連づけを行える。
【００８９】
なお、本発明は、上記実施形態に限定されるものではなく、種々の変形態様をとることが可能である。例えば、上記実施形態では、物品を識別するＩＤ情報の標識としては、２次元バーコードの他に、一次元バーコード等を利用できる。
【００９０】
また、移動通信端末１０のカメラ手段に代えて、バーコードリーダーを採用してもよい。
【００９１】
また、２次元バーコード等の光学的にＩＤ情報を認識可能な標識に代えて、電磁波により非接触でＩＤ情報を外部から読み取り可能なＲＦ−ＩＤや、ＩＣタグ等を用いてもよい。
【００９２】
また、上記実施形態においては、ユーザが登録したい情報として駅の時刻表のアドレスＵＲＬとしているが、これに限られず、住所録や電話帳、問い合わせ先一覧、販売店一覧、等の任意の情報を関連づけることができる。
【００９３】
例えば、物品が靴であれば、靴の性能、材質、大きさ、アフターケア情報等でよく、これらの情報が記載された靴メーカーの案内サイトのＷＥＢページのアドレスＵＲＬや、靴のユーザーズクラブのサイトのＷＥＢページのアドレスＵＲＬなどでもよい。また、他の物品も限定されず、例えば、電話機や腕時計、テレホンカード（登録商標）等が挙げられる。
【００９４】
また、上記実施形態では、パスワードが関連づけられた関連情報を検索するに当たり、最初に画像データのみを送信し、後からパスワードを送信しているが、あらかじめ、検索要求としての画像データとパスワードを一緒に情報提供システムに送信してもよい。
【００９５】
また、上記実施形態では、情報提供システム５０において、サービスポータル装置２０が移動通信端末１０とサーバ装置３０との間に介在しているが、サーバ装置がサービスポータル装置２０の構成を含み、移動通信端末とサーバ装置３０とが直接情報のやり取りを行ってもよい。
【００９６】
また、上記実施形態では、サービスポータル装置２０とサーバ装置３０とが無線によって通信しているが、光ファイバー等の有線通信を行ってもよい。
【００９７】
また、上記実施形態では、移動通信端末として、携帯電話を用いているが、ユーザが携帯可能な移動通信端末であればこれに限られず、例えば、ＰＤＡ（Ｐｅｒｓｏｎａｌ  Ｄｉｇｉｔａｌ  Ａｓｓｉｓｔａｎｔ）のような装置でもよい。
【図面の簡単な説明】
【００９８】
【図１】本実施形態に係る情報提供システム及び移動通信端末を示す概略構成図である。
【図２】本実施形態において、ユーザが定期券に関連するＵＲＬをパスワードを付して情報提供システムに登録する場合のフローを示す図である。
【図３】本実施形態において、ユーザが定期券に関連するＵＲＬを、情報提供システムから取得する場合のフローを示す図である。
【図４】図３に続く図である。
【符号の説明】
【００９９】
２…定期券（物品）、４…２次元バーコード（標識）、１０…移動通信端末、１２…端末側送受信手段（端末側送信手段）、１４…カメラ手段（物品情報取得手段）、１６…情報入力手段（関連情報取得手段、ユーザ識別情報取得手段）、２０…サービスポータル装置、２２…ポータル側送受信手段（システム側受信手段、システム側送信手段、ポータル側送受信手段）、２４…制御手段、２６…パスワード比較手段（ユーザ識別情報比較手段）、３０…サーバ装置、３２…サーバ側送受信手段（サーバ側受信手段、サーバ側送信手段）、３６…ＩＤ認識手段（物品識別情報認識手段）、３８…ＧＩＤ変換手段（識別情報変換手段）、４０…検索手段、４２…登録手段、４４…格納手段、５０…情報提供システム。
【図１】
2005092769.tif 000003
【図２】
2005092769.tif 000004
【図３】
2005092769.tif 000005
【図４】
2005092769.tif 000006